(57)【要約】【課題】パネルディスプレイに連接して光学影像を生成することができ、ユーザーが携帯に便利で、かつユーザーの使用上の利便性を向上させる電子カードを提供する。【解決手段】電子カードが、ケーシングと、ケーシング内部に設置され、かつバスを備える回路搭載板と、中央処理装置と、チップセットと、電源管理ユニットと、データ信号を保存するメモリーユニットと、画像信号を提供する画像処理ユニットと、音声信号を提供する音声処理ユニットと、無線信号を提供する無線伝送ユニットと、有線ネット信号を提供するネットユニットと、コネクターとを含む。中央処理装置とチップセットと電源管理ユニットとメモリーユニットと画像処理ユニットと音声処理ユニットと無線伝送ユニットとネットユニットとコネクターとがいずれもバスに連結される。コネクターが多数の端子を有し、これらの端子がデータ信号・画像信号・音声信号・有線ネット信号を伝送する。【選択図】図２Ａ
0003144759.tif 000002
【実用新案登録請求の範囲】
【請求項１】
電子カードであって、
ケーシングと、
前記ケーシング内部に設置され、かつバスを有する回路搭載板と、
前記バスに連結される中央処理装置と、
前記バスに連結されるチップセットと、
前記バスに連結される電源管理ユニットと、
前記バスに連結され、データ信号を保存するメモリーユニットと、
前記バスに連結され、画像信号を提供する画像処理ユニットと、
前記バスに連結され、音声信号を提供する音声処理ユニットと、
前記バスに連結され、無線信号を提供する無線伝送ユニットと、
前記バスに連結され、有線ネット信号を提供するネットユニットと、
コネクターであり、前記バスに連結され、そのうち、前記コネクターが多数の端子を有して、前記した多数の端子がそれぞれ前記データ信号、前記画像信号、前記音声信号または前記有線ネット信号を伝送するために使用されるコネクターと、
を含む電子カード。
【請求項２】
更に、前記回路搭載板上に設置され、電源を提供する電池を含む請求項１記載の電子カード。
【請求項３】
更に、前記バスに連結され、かつ前記ケーシング上に設置されて、画像を表示するディスプレイパネルを含む請求項１記載の電子カード。
【請求項４】
前記無線伝送ユニットが、無線ローカルエリアネットワーク、ブルートゥース、マイクロウエーブアクセス用ワールドワイド相互運用およびＲＦ伝送ユニットからなるグループから選択される少なくとも１つを有する請求項１記載の電子カード。
【請求項５】
パネルディスプレイであり、ディスプレイパネルとフレームとを含み、前記フレームがフレームコネクターを有して、請求項１記載の前記コネクターに連接されることに適し、前記データ信号、前記画像信号、前記音声信号または前記有線ネット信号を前記パネルディスプレイへ伝送するために使用されることを特徴とするパネルディスプレイ。
【請求項６】
前記フレームコネクターがスロットであり、前記電子カードが前記フレームコネクターにより前記スロットへ挿入されて、前記データ信号、前記画像信号、前記音声信号または前記有線ネット信号を前記パネルディスプレイへ伝送する請求項５記載のパネルディスプレイ。
【請求項７】
更に、無線周波数送受信器を含んで、前記パネルディスプレイの側辺に配置し、そのうち、前記電子カードが前記パネルディスプレイと前記無線伝送ユニットおよび前記無線周波数送受信器により無線伝送方式で前記データ信号、前記画像信号、前記音声信号または前記無線信号を伝送する請求項５記載のパネルディスプレイ。
【請求項８】
前記無線伝送ユニットが、無線ローカルエリアネットワーク、ブルートゥース、マイクロウエーブアクセス用ワールドワイド相互運用およびＲＦ伝送ユニットからなるグループから選択される少なくとも１つを有する請求項５記載のパネルディスプレイ。
【請求項９】
更に、指令入力装置を含み、そのうち、前記指令入力装置が前記無線伝送ユニットにより信号を前記電子カードへ入力する請求項５記載のパネルディスプレイ。
【請求項１０】
前記指令入力装置がマウスとキーボードとを含む請求項９記載のパネルディスプレイ。
【請求項１１】
更に、音声出力装置を含み、そのうち、前記音声出力装置がスピーカーまたはイヤホンである請求項５記載のパネルディスプレイ。
【考案の詳細な説明】
【技術分野】
【０００１】
この考案は、電子カードに関し、特に、パネルディスプレイに応用される電子カードに関する。
【背景技術】
【０００２】
電子科学技術の猛烈な進歩に伴い、各種の異なる機能の電子製品が絶えず出現すると同時に、私たちの日常生活および仕事に幅広く応用されている。コンピューターについて言えば、コンピューター製品は、軽く・薄く・短く・小さく、そして機能が強大である趨勢で快速に発展しており、現在、コンピューターの種類も元はディスク上でしか使用できなかったディスクトップ型コンピューターから多種多様な移動型コンピューター、例えば、ノートブック（Notebook）型コンピューター・パーソナルデジタルアシスタント（Personal Digital Assistant = PDA）・ポケット型パーソナルコンピューター（Pocket PC）などへと発展している。
【０００３】
ビジネスパーソンについて言えば、ノートブック型コンピューターは、不可欠なツールである。ノートブック型コンピューターは、ユーザーが何時でもビジネスを処理できるだけでなく、更に非常に重要な機能としてユーザーがインターネット世界で楽しめることがある。ユーザーは、いつでもインターネットを介して即時情報を獲得したり、関連資料を調べたり、他人とコミュニケーションを取ることができ、例えば、ユーザーは、電子メール（e-mail）を伝送したり、インスタント通信ソフトウェア（インスタントメッセンジャー  Instant Messenger）を使用して即時情報を伝送することができる。甚だしくは、ユーザーが更にネットテレビ機能を利用して、テレビ会議を行うことができ、ネットの存在する全ての場所をオフィスとすることができる。
【考案の開示】
【考案が解決しようとする課題】
【０００４】
現在、ノートブック型コンピューターは、既にユーザーが携帯できるまでに改良されているものの、長時間にわたりノートブック型コンピューターを携帯しなければならないようなビジネスパーソンにとって言えば、ノートブック型コンピューターの重量および容積にパーソナルデジタルアシスタントのような軽便さがないため、なお多くの不便さが感じられるのであるが、もしも重量および容積が比較的軽便なパーソナルデジタルアシスタントを携帯すれば、その機能は、ノートブック型コンピューターの完璧さには遠く及ばず、ユーザーの使用上の利便性が大幅に低下する。
【０００５】
そこで、この考案の目的は、パネルディスプレイに連接して光学影像を生成し、ユーザーが携帯に便利で、かつユーザーの使用上の利便性を向上させる電子カードを提供することにある。
【０００６】
この考案のもう１つの目的は、電子カードとの連接に適して、光学影像を生成するパネルディスプレイを提供することにある。
【課題を解決するための手段】
【０００７】
この考案は、電子カードを提供するものであって、ケーシングと、回路搭載板と、中央処理装置（Central Processing Unit = CPU）と、チップセットと、電源管理ユニットと、メモリーユニットと、画像処理ユニットと、音声処理ユニットと、無線伝送ユニットと、ネットユニットと、コネクターとを含む。回路搭載板がケーシング内に設置され、かつバス（bus）を有する。中央処理装置がバスに連結される。チップセットがバスに連結される。電源管理ユニットがバスに連結される。
【０００８】
メモリーユニットがバスに連結され、データ信号を保存する。画像処理ユニットがバスに連結され、画像信号を提供する。音声処理ユニットがバスに連結され、音声信号を提供する。無線伝送ユニットがバスに連結され、無線信号を提供する。ネットユニットがバスに連結され、有線ネット信号を提供する。コネクターがバスに連結され、そのうち、コネクターが多数の端子を有し、これら多数の端子がそれぞれデータ信号・画像信号・音声信号・有線ネット信号を伝送する。
【０００９】
この考案の実施形態中、上述した電子カードが更に電池を含む。電池が回路搭載板に設置されて、電源を提供する。
【００１０】
この考案の実施形態中、上述した電子カードが更にディスプレイパネルを含む。ディスプレイパネルがバスに連結され、かつケーシング上に設置されて、画像を表示する。
【００１１】
この考案の実施形態中、上述した無線伝送ユニットが、無線ローカルエリアネットワーク（Wireless Local Area Network = WLAN）と、ブルートゥース（Bluetooth）と、マイクロウエーブアクセス用ワールドワイド相互運用（Worldwide Interoperatability for Microwave Access = WiMAX）と、ＲＦ伝送ユニット（Radio Frequency = RF）とからなるグループから選択される少なくとも１つを有する。
【００１２】
この考案は、パネルディスプレイを提供するものであり、ディスプレイパネルとフレームとを含む。パネルディスプレイの特徴は、フレームがフレームコネクターを有し、電子カードのコネクターとの連接に適して、データ信号・画像信号・音声信号・有線ネット信号を伝送する。
【００１３】
この考案の実施形態中、上記フレームコネクターがスロットであり、電子カードがコネクターをスロットへ挿入してデータ信号・画像信号・音声信号・無線信号をパネルディスプレイへ伝送する。
【００１４】
この考案の実施形態中、上述したパネルディスプレイが更に無線周波数送受信器を含む。無線周波数送受信器がディスプレイパネル側辺に配置され、そのうち、電子カードとパネルディスプレイとが無線伝送ユニットおよび無線周波数送受信器により無線方式でデータ信号・画像信号・音声信号・無線信号を伝送する。
【００１５】
この考案の実施形態中、上述した無線周波数送受信器が無線ローカルエリアネットワークとブルートゥースとマイクロウエーブアクセス用ワールドワイド相互運用とＲＦ伝送ユニットとからなるグループから選択される少なくとも１つを有するものである。
【００１６】
この考案の実施形態中、上述したパネルディスプレイが更に指令入力装置を含み、そのうち、指令入力装置が無線伝送ユニットにより信号を電子カードへ入力するものである。
【００１７】
この考案の実施形態中、上述した指令入力装置がマウスとキーボードとを含む。
【００１８】
この考案の実施形態中、上述したパネルディスプレイが更に音声出力装置を含む。音声出力装置がスピーカーまたはイヤホンである。
【００１９】
上記にもとづき、この考案の電子カードは、多機能のチップ（例えば、中央処理装置・メモリーユニット・画像処理ユニット・音声処理ユニットなど）を統合し、かつコネクターによりデータ信号・画像信号・音声信号・有線ネット信号などを伝送するので、この考案の電子カードは、対応するパネルディスプレイに連接した後、ノートブック型コンピューターの基本機能を備えるだけでなく、単一の電子カードもノートブック型コンピューターと比較して、更に軽く、更に薄いものとなり、ユーザーが携帯に便利で、ユーザーの使用上の利便性を向上させる。
【考案の効果】
【００２０】
つまり、この考案の電子カードは、多機能のチップを統合し、かつコネクターによりデータ信号・画像信号・音声信号・有線ネット信号などを伝送するため、この考案の電子カードが対応するパネルディスプレイに連接されるとノートブック型コンピューターの基本機能を備えるもとなり、しかも単一の電子カードもノートブック型コンピューターと比較して、更に軽く、更に薄いものとなる。従って、ユーザーが携帯に便利で、ユーザーの使用上の利便性を向上させる。
【考案を実施するための最良の形態】
【００２１】
以下、この考案を実施するための最良の形態を図面に基づいて説明する。
図１Ａは、この考案の実施形態にかかる電子カードを示す立体説明図であり、図１Ｂは、図１Ａの電子カードを示す機能ブロック図である。図１Ａと図１Ｂとにおいて、この実施形態中、電子カード２００は、ケーシング２１０と、回路搭載板２２０と、中央処理装置２３０と、チップセット２４０と、電源管理ユニット２５００１と、メモリーユニット２５００２と、画像処理ユニット２５００３と、音声処理ユニット２５００４と、無線伝送ユニット２５００５と、ネットユニット２５００６と、コネクター２６０とを含む。
【００２２】
詳しく言うと、回路搭載板２２０がケーシング２１０内部に設置されるとともに、バス２２２に連結される。中央処理装置２３０がバス２２２に連結される。チップセット２４０がバス２２２に連結される。電源管理ユニット２５００１がバス２２２に連結される。メモリーユニット２５００２がバス２２２に連結されて、データ信号を保存する。画像処理ユニット２５００３がバス２２２に連結されて、画像信号を提供する。音声処理ユニット２５００４がバス２２２に連結されて、音声信号を提供する。無線伝送ユニット２５００５がバス２２２に連結されて、無線信号を提供する。注意すべきことは、無線伝送ユニット２５００５が無線ローカルエリアネットワークとブルートゥースとマイクロウエーブアクセス用ワールドワイド相互運用とＲＦ伝送ユニットとからなるグループから選択される少なくとも１つを有することである。
【００２３】
ネットユニット２５００６がバス２２２に連結されて、有線ネット信号を提供する。コネクター２６０がバス２２２に連結され、そのうち、コネクター２６０が多数の端子２６２を有し、これらの端子２６２がそれぞれデータ信号・画像信号・音声信号・有線ネット信号を伝送するが、これらの端子２６２が例えばピンまたはゴールドフィンガーである。また、電子カード２００が更に電池２７０とディスプレイパネル２８０とを含む。電池２７０が回路搭載板２２０上に設置されて、電源を提供する。ディスプレイパネル２８０がバス２２２に連結されて、画像を表示する。
【００２４】
簡単に言えば、この実施形態の電子カード２００は、多数の機能のチップを統合しており、中央処理装置２３０・チップセット２４０・電源管理ユニット２５００１・メモリーユニット２５００２・画像処理ユニット２５００３・音声処理ユニット２５００４・無線伝送ユニット２５００５・ネットユニット２５００６を含み、かつコネクター２６０を備えてデータ信号・画像信号・音声信号・有線ネット信号を伝送するので、この実施形態の電子カード２００は、パネルディスプレイ（図２Ａの符号１００）に連接された後に、ノートブック型コンピューターの基本機能を備えるだけでなく、単一の電子カード２００もノートブック型コンピューターと比較して更に軽く更に薄いので、ユーザーが携帯に便利であるとともに、ユーザーの使用上の利便性を向上させる。
【００２５】
また、この実施形態の電子カード２００は、更に電池２７０とディスプレイパネル２８０とを備えるから、電子カード２００に電源を供給して演算処理を行うことができるとともに、ディスプレイパネル２８０によってユーザーに光学画像を表示して参考とするので、使用時の利便性を大幅に向上させることができる。
【００２６】
注意すべきことは、電子カード２００が外部電源を有する外部装置（図示せず）に未接続であり、かつ無線伝送ユニット２５００５を介してデータ伝送を行いたい時、電池２７０が電源を電子カード２００に提供して伝送を行うことができることである。電子カード２００が外部電源を有する外部装置に接続された時、外部装置の電源が電子カード２００に提供されて演算処理およびデータ伝送を行うことができる。
【００２７】
更に、この実施形態の電子カード２００は、パネルディスプレイ（図２Ａの符号１００）に連接された後、ノートブック型コンピューターの基本機能を備えることができるため、ビジネスパーソンは、電子カード２００をパネルディスプレイのある場所へ直接携帯して使用することができ、そのうち、パネルディスプレイは、ホテル・仕事場・公共施設・個人の住所のパネルディスプレイであることができる。以下、電子カード２００およびパネルディスプレイ間の応用を詳しく説明する。
【００２８】
図２Ａは、この考案の実施形態にかかるパネルディスプレイと図１Ａの電子カードとが相互連接される前の立体説明図であり、図２Ｂは、図２Ａのパネルディスプレイと電子カードとが相互連接された後の立体説明図である。図２Ａと図２Ｂとにおいて、実施形態中、パネルディスプレイ１００は、ディスプレイパネル１１０とフレーム１２０とを含む。パネルディスプレイ１００の特徴は、フレーム１２０がフレームコネクター１２２を備え、それが電子カード２００を連接することに適して、データ信号・画像信号・音声信号・有線ネット信号を伝送するために用いられる。
【００２９】
詳しく言うと、この実施形態中、フレームコネクター１２２がスロットであり、電子カード２００がそのコネクター２６０をスロットに挿入してデータ信号・画像信号・音声信号・有線ネット信号をパネルディスプレイ１００へ伝送する。言い換えれば、パネルディスプレイ１００および電子カード２００間は、有線伝送方式を利用して信号を伝達する。
【００３０】
パネルディスプレイ１００は、更に、無線周波数送受信器１３０を含むことができる。無線周波数送受信器１３０がディスプレイパネル１１０の側辺に配置され、そのうち、電子カード２００とパネルディスプレイ１００とが無線伝送ユニット２５００５（図１Ｂを参照）および無線周波数送受信器１３０によって無線伝送方式でデータ信号・画像信号・音声信号・無線信号を伝送する。言い換えれば、パネルディスプレイ１００および電子カード２００間は、無線伝送方を利用して信号を伝達する。
【００３１】
上述に続いて、パネルディスプレイ１００が更に指令入力装置１４０を含み、そのうち、指令入力装置１４０が無線伝送ユニット２５００５（図１Ｂを参照）により信号を電子カード２００へ入力する。指令入力装置１４０は、マウス１４２とキーボード１４４とを含む。具体的に言うと、図１Ｂと図２Ａとにおいて、ユーザーがマウス１４２またはキーボード１４４により指令を入力する時、無線伝送方式を介してユーザーの指令を電子カード２００へ伝達する。図示していない別な実施形態中、マウス１４２またはキーボード１４４は、また、有線方式を利用して指令信号を電子カード２００へ伝達することもできる。
【００３２】
また、パネルディスプレイ１００が更に音声出力装置１５０を含む。音声出力装置１５０がスピーカー１５２またはイヤホン（図示せず）である。この実施形態中、電子カード２００が有線伝送を介して音声信号を音声出力装置１５０へ伝送することができる。図２Ｂを例に挙げると、電子カード２００がコネクター２６０をフレームコネクター１２２へ挿入することを介して、有線伝送方式を介し音声信号をパネルディスプレイ１００へ伝達するとともに、音声出力装置１５０により放送する。図示していない別な実施形態中、音声出力装置１５０は、また、無線方式を利用して電子カード２００からの音声信号を受信することもできる。
【００３３】
言い換えれば、この実施形態の電子カード２００は、コネクター２６０と無線伝送ユニット２５００５（図１Ｂを参照）とを備えているため、電子カード２００がコネクター２６０をパネルディスプレイ１００のフレームコネクター１２２へ直接挿入することにより電気接続することができ、データ信号・画像信号・音声信号・有線ネット信号などをパネルディスプレイ１００へ伝送、あるいは無線伝送ユニット２５００５および無線周波数送受信器１３０により無線伝送方式でデータ信号・画像信号・音声信号・無線信号などを伝送することができるので、この実施形態の電子カード２００は、ユーザーの使用上の利便性を向上させることができる。
【００３４】
以上のごとく、この実用新案を最良の実施形態により開示したが、もとより、この実用新案を限定するためのものではなく、当業者であれば容易に理解できるように、この考案の技術思想の範囲内において、適当な変更ならびに修正が当然なされうるものであるから、その実用新案権保護の範囲は、実用新案請求の範囲および、それと均等な領域を基準として定められなければならない。
【図面の簡単な説明】
【００３５】
【図１Ａ】この考案の実施形態にかかる電子カードを示す立体説明図である。
【図１Ｂ】図１Ａの電子カードにかかる機能ブロック図である。
【図２Ａ】この考案の実施形態にかかるパネルディスプレイと図１Ａの電子カードとの相互連接前の立体説明図である。
【図２Ｂ】図２Ａのパネルディスプレイと電子カードとの相互連接後の立体説明図である。
【符号の説明】
【００３６】
１００  パネルディスプレイ
１１０  ディスプレイパネル
１２０  フレーム
１２２  フレームコネクター
１３０  無線周波数送受信器
１４０  指令入力装置
１４２  マウス
１４４  キーボード
１５０  音声出力装置
１５２  スピーカー
２００  電子カード
２１０  ケーシング
２２０  回路搭載板
２２２  バス
２３０  中央処理装置
２４０  チップセット
２５００１  電源管理ユニット
２５００２  メモリーユニット
２５００３  画像処理ユニット
２５００４  音声処理ユニット
２５００５  無線伝送ユニット
２５００６  ネットユニット
２６０  コネクター
２６２  端子
２７０  電池
２８０  ディスプレイパネル
【図１Ａ】
0003144759.tif 000003
【図１Ｂ】
0003144759.tif 000004
【図２Ａ】
0003144759.tif 000005
【図２Ｂ】
0003144759.tif 000006